(57)【特許請求の範囲】
【請求項１】
機器の動作を管理するスケジュール情報を生成するスケジュール情報生成部と、
外部から前記スケジュール情報の変更が要求されたときにその内容を変更した変更スケジュール情報を生成する変更スケジュール情報生成部と、
前記スケジュール情報または前記変更スケジュール情報にしたがって前記機器が動作したときの動作時刻を表す機器動作時間情報を生成する機器動作時間情報生成部と、
前記スケジュール情報と前記変更スケジュール情報との第１の差異、および、前記変更スケジュール情報と前記機器動作時間情報との第２の差異を認識可能な提示画面を作成する画面作成部と、
前記提示画面を表示部に表示する表示制御部と
を備え、
前記画面作成部は、
前記スケジュール情報、前記変更スケジュール情報、前記機器動作時間情報に基づいてそれぞれ前記機器の振る舞いを可視化した所定のスケジュール情報画面、変更スケジュール情報画面、機器動作時間情報画面を生成し、これらを比較可能に配置するとともに、前記第１の差異と前記第２の差異とを視覚的に示した比較画面を前記提示画面として作成する比較画面作成部を備え、
前記比較画面作成部を含む前記画面作成部は、演算装置とメモリとを含むコンピュータとこのコンピュータにインストールされたコンピュータプログラムとによって実現される
ことを特徴とするスケジュール管理システム。
【請求項２】
前記画面作成部は、
前記スケジュール情報に基づく前記機器の振る舞いと前記変更スケジュール情報に基づく前記機器の振る舞いとの差分の絶対値を積算して前記第１の差異を数値化した第１の数値化情報を算出するとともに、前記変更スケジュール情報に基づく前記機器の振る舞いと前記機器動作時間情報に基づく前記機器の振る舞いとの差分の絶対値を積算して前記第２の差異を数値化した第２の数値化情報を算出する数値化計算部
を更に備え、
前記数値化計算部は、演算装置とメモリとを含むコンピュータとこのコンピュータにインストールされたコンピュータプログラムとによって実現されることを特徴とする請求項１に記載のスケジュール管理システム。
【請求項３】
前記画面作成部は、
前記第１の数値化情報および前記第２の数値化情報に基づいて前記第１の差異および前記第２の差異を可視化したグラフ画面を前記提示画面として生成するグラフ画面作成部
を更に備えることを特徴とする請求項２に記載のスケジュール管理システム。
【請求項４】
前記画面作成部は、
前記第１の数値化情報および前記第２の数値化情報に基づいて前記第１の差異および前記第２の差異が存在することを警報する警報画面を前記提示画面として作成する警報画面作成部
を更に備えることを特徴とする請求項２に記載のスケジュール管理システム。
【請求項５】
前記画面作成部は、
前記第２の数値化情報に基づいて前記第２の差異の推移を時系列に表した推移画面を前記提示画面として作成する推移画面作成部
を更に備えることを特徴とする請求項２に記載のスケジュール管理システム。
【請求項６】
前記数値化計算部は、前記機器が動作している動作時間帯における前記第１の数値化情報、および、前記機器が動作していない非動作時間帯における前記第１の数値化情報をそれぞれ算出し、
前記グラフ画面作成部は、前記動作時間帯における第１の数値化情報および前記非動作時間帯における第１の数値化情報に基づいて前記グラフ画面を作成する
ことを特徴とする請求項３に記載のスケジュール管理システム。
【請求項７】
前記変更スケジュール情報生成部は、前記スケジュール情報の変更が複数要求された場合、前記変更スケジュール情報を複数生成し、
前記比較画面作成部は、複数の前記変更スケジュール情報に基づいてそれぞれ複数の変更スケジュール情報画面を作成し、前記スケジュール情報画面、複数の前記変更スケジュール情報画面、および、前記機器動作時間情報画面を比較可能に配置した前記比較画面を作成する
ことを特徴とする請求項１に記載のスケジュール管理システム。
【請求項８】
機器の動作を管理するスケジュール情報をスケジュール情報生成部により生成するスケジュール情報生成ステップと、
外部から前記スケジュール情報の変更が要求されたときにその内容を変更した変更スケジュール情報を変更スケジュール情報生成部により生成する変更スケジュール情報生成ステップと、
前記スケジュール情報または前記変更スケジュール情報にしたがって前記機器が動作したときの動作時刻を表す機器動作時間情報を機器動作時間情報生成部により生成する機器動作時間情報生成ステップと、
前記スケジュール情報と前記変更スケジュール情報との第１の差異、および、前記変更スケジュール情報と前記機器動作時間情報との第２の差異を認識可能な提示画面を画面作成部により作成する画面作成ステップと、
前記提示画面を表示制御部により表示部に表示する表示制御ステップと
を有し、
前記画面作成ステップは、
前記スケジュール情報、前記変更スケジュール情報、前記機器動作時間情報に基づいて
それぞれ前記機器の振る舞いを可視化した所定のスケジュール情報画面、変更スケジュール情報画面、機器動作時間情報画面を生成し、これらを比較可能に配置するとともに、前記第１の差異と前記第２の差異とを視覚的に示した比較画面を前記提示画面として作成し、
前記画面作成ステップは、
演算装置とメモリとを含むコンピュータとこのコンピュータにインストールされたコンピュータプログラムとによって実行される
ことを特徴とするスケジュール管理方法。
【発明の詳細な説明】
【技術分野】
【０００１】
本発明は、スケジュール管理システムおよびスケジュール管理方法に関し、特に、ビルに設置されている複数の機器のスケジュールを管理するスケジュール管理システムおよびスケジュール管理方法に関する。
【背景技術】
【０００２】
従来、ビルなどの大規模施設では、そのビルの施設内に散在する熱源機器、空調機器、照明機器などの各種の設備機器（以下、これを「機器」と呼ぶ。）の動作状態を、監視室のモニタ画面に映し出して集中的に監視および制御するビル監視システムが設置されている。
【０００３】
この種のビル監視システムでは、例えば省エネルギーなどを目的として、機器の動作をスケジュールに基づいて動作させるに当たり、機器の動作を制御および管理する制御装置にスケジュールを予め設定しておく必要がある。
【０００４】
制御装置は、スケジュールの開始時刻および終了時刻にしたがって機器を動作させたとき、スケジュールの動作時刻と機器が動作したときの機器動作時刻との乖離をユーザに把握させるため、スケジュールにしたがって機器を動作させる際の開始時刻および終了時刻等の時間情報（以下、これを「スケジュール情報」と呼ぶ。）と、機器が実際に動作したときの機器動作開始時刻および機器動作終了時刻等を表す時間情報（以下、これを「機器動作時間情報」と呼ぶ。）とを並べて表示するシステムが提案されている（例えば、特許文献１を参照。）
【０００５】
例えば、図２１に示すように、機器の運転スケジュールを管理するスケジュール管理システム１０は、例えば照明機器１１と、その照明機器１１の運転動作を個別に制御する制御装置１２と、照明機器１１が運転動作するためのスケジュール情報を生成して制御装置１２に設定する中央制御装置１３と、照明機器１１が設置されている現場において制御装置１２に設定されたスケジュール情報を変更する現場操作器１４とを備えている。
【０００６】
制御装置１２は、中央制御装置１１から与えられるスケジュール情報を内部の記憶部に記憶し、そのスケジュール情報にしたがって照明機器１１の運転動作を制御する。例えば、図２２に示すように、スケジュール情報が、開始時刻８：００に照明機器１１を点灯させ、終了時刻１８：００に照明機器１１を消灯させる時間情報であった場合、制御装置１２はこのスケジュール情報にしたがって照明機器１１の運転動作を制御する。
【０００７】
ところで、照明機器１１が設置されている現場の作業者が、照明機器１１の終了時刻１８：００を１時間延長するため、現場操作器１４を介して、制御装置１２に与えられているスケジュール情報の終了時刻１８：００を１９：００に変更する操作を行うことがある。
【０００８】
このような場合、制御装置１２は、スケジュール情報の終了時刻１８：００を１９：００に変更した変更後スケジュール情報を生成して記憶し、その変更後スケジュール情報にしたがって、それ以降、終了時刻１９：００に照明機器１１を消灯させるように制御する。
【０００９】
これにより照明機器１１は、変更後スケジュール情報の終了時刻１９：００に制御装置１２から供給された消灯命令を意味する制御信号にしたがって照明機器１１を消灯することになる。
【００１０】
一方、図２３に示すように、制御装置１２が開始時刻８：００に照明機器１１を点灯させた後、オペレータにより現場操作器１４を介してスケジュール情報の変更要求が行われていない場合、当初のスケジュール通り、制御装置１２は終了時刻１８：００に照明機器１１を消灯させるように運転動作を制御する。
【００１１】
しかしながら、制御装置１２と照明機器１１との間の通信状態に何らかの不具合が発生し、照明機器１１が制御装置１２から消灯命令を意味する制御信号を受信することができず、その後の１９：００に制御信号を受信した場合、照明機器１１はスケジュール情報の終了時刻１８：００よりも１時間遅れた１９：００に消灯することになる。
【００１２】
しかしながら、従来の制御装置１２は、図２４および図２５に示すように、スケジュール情報と、機器動作時間情報とを並べて表示するだけなので、両者を比較しても、変更スケジュール情報により照明機器１１の消灯動作が１時間遅れた状態（以下、これを「動作時間遅れ」と呼ぶ。）が生じている場合であっても、通信状態の不具合により照明機器１１に１時間の動作時間遅れが生じている場合であっても、照明機器１１の終了時刻１９：００は何れも同じである。
【先行技術文献】
【特許文献】
【００１３】
【特許文献１】特開２０１２−２４３２５８号公報
【発明の概要】
【発明が解決しようとする課題】
【００１４】
この場合、変更スケジュール情報による照明機器１１の動作時間遅れであっても、通信状態の不具合による動作時間遅れであっても、その原因をオペレータは特定できないという問題があった。
【００１５】
そこで、本発明は、スケジュール情報とは異なる動作が機器により行われた場合の原因を容易に特定し得るスケジュール管理システムおよびスケジュール管理方法を提供することを目的としている。
【課題を解決するための手段】
【００１６】
この目的を達成するために、本発明にかかるスケジュール管理システム（１００）は、
機器（１１ａ）の動作を管理するスケジュール情報（Ｓ１）を生成するスケジュール情報
生成部（５１）と、外部から前記スケジュール情報（Ｓ１）の変更が要求されたときにそ
の内容を変更した変更スケジュール情報（ＣＳ１）を生成する変更スケジュール情報生成
部（２０ｃ）と、前記スケジュール情報（Ｓ１）または前記変更スケジュール情報（ＣＳ
１）にしたがって前記機器（１１ａ）が動作したときの動作時刻を表す機器動作時間情報
（Ｄ１）を生成する機器動作時間情報生成部（２０ｅ）と、前記スケジュール情報（Ｓ１
）と前記変更スケジュール情報（ＣＳ１）との第１の差異（ｄｆ１）、および、前記変更
スケジュール情報（ＣＳ１）と前記機器動作時間情報（Ｄ１）との第２の差異（ｄｆ２）
を認識可能な提示画面（Ｇ１〜Ｇ４）を作成する画面作成部（５２、５４）と、前記提示
画面（Ｇ１〜Ｇ４）を表示部（６０）に表示する表示制御部（５６）とを備え、前記画面作成部（５２、５４）は、前記スケジュール情報（Ｓ１）、前記変更スケジュール情報（ＣＳ１）、前記機器動作時間情報（Ｄ１）に基づいてそれぞれ前記機器の振る舞いを可視化した所定のスケジュール情報画面（ＳＧ１）、変更スケジュール情報画面（ＣＳＧ１）、機器動作時間情報画面（ＤＧ１）を生成し、これらを比較可能に配置するとともに、前記第１の差異と前記第２の差異とを視覚的に示した比較画面（Ｇ１）を前記提示画面（Ｇ１〜Ｇ４）として作成する比較画面作成部（５２）を備え、前記比較画面作成部を含む前記画面作成部は、演算装置とメモリとを含むコンピュータとこのコンピュータにインストールされたコンピュータプログラムとによって実現されるようにする。
【００１８】
本発明において、前記画面作成部（５２、５４）は、前記スケジュール情報（Ｓ１）に基づく前記機器の振る舞いと前記変更スケジュール情報（ＣＳ１）に基づく前記機器の振る舞いとの差分ｘ（ｔ）の絶対値を積算して前記第１の差異（ｄｆ１）を数値化した第１の数値化情報（ν１）、および、前記変更スケジュール情報（ＣＳ１）に基づく前記機器の振る舞いと前記機器動作時間情報（Ｄ１）に基づく前記機器の振る舞いとの差分ｘ（ｔ）の絶対値を積算して前記第２の差異（ｄｆ２）を数値化した第２の数値化情報（ν２）を算出する数値化計算部（５３）を更に備え、前記数値化計算部（５３）は、演算装置とメモリとを含むコンピュータとこのコンピュータにインストールされたコンピュータプログラムとによって実現されるようにする。
【００１９】
本発明において、前記画面作成部（５２、５４）は、前記第１の数値化情報（ν１）および前記第２の数値化情報（ν２）に基づいて前記第１の差異（ｄｆ１）および前記第２の差異（ｄｆ２）を可視化したグラフ画面（Ｇ２）を前記提示画面（Ｇ１〜Ｇ４）として生成するグラフ画面作成部（５４ａ）を更に備えるようにしてもよい。
【００２０】
本発明において、前記画面作成部（５２、５４）は、前記第１の数値化情報（ν１）および前記第２の数値化情報（ν２）に基づいて前記第１の差異（ｄｆ１）および前記第２の差異（ｄｆ２）が存在することを警報する警報画面（Ｇ３）を前記提示画面（Ｇ１〜Ｇ４）として作成する警報画面作成部（５４ｂ）を更に備えるようにする。
【００２１】
本発明において、前記画面作成部（５２、５４）は、前記第２の数値化情報（ν２）に基づいて前記第２の差異（ｄｆ２）の推移を時系列に表した推移画面（Ｇ４）を前記提示画面（Ｇ１〜Ｇ４）として作成する推移画面作成部（５４ｃ）を更に備えるようにする。
【００２２】
本発明において、前記数値化計算部（５３）は、前記機器（１１ａ）が動作している動作時間帯における前記第１の数値化情報（ν１）、および、前記機器（１１ａ）が動作していない非動作時間帯における前記第１の数値化情報（ν１´）をそれぞれ算出し、前記グラフ画面作成部（５４ａ）は、前記動作時間帯における第１の数値化情報（ν１）および前記非動作時間帯における第１の数値化情報（ν１´）に基づいて前記グラフ画面（Ｇ２Ｓ）を作成するようにする。
【００２３】
本発明において、前記変更スケジュール情報生成部（２０ｃ）は、前記スケジュール情報（Ｓ１）の変更が複数要求された場合、前記変更スケジュール情報（ＣＳ１、ＣＳ２）を複数生成し、前記比較画面作成部（５２）は、複数の前記変更スケジュール情報（ＣＳ１、ＣＳ２）に基づいてそれぞれ複数の変更スケジュール情報画面（ＣＳＧ１、ＣＳＧ２）を作成し、前記スケジュール情報画面（ＳＧ１）、複数の前記変更スケジュール情報画面（ＣＳＧ１、ＣＳＧ２）、および、前記機器動作時間情報画面（ＤＧ１）を比較可能に配置した前記比較画面（Ｇ１Ｓ）を作成するようにする。
【発明の効果】
【００２４】
本発明によれば、スケジュール情報（Ｓ１）と変更スケジュール情報（ＣＳ１）との第１の差異（ｄｆ１）、および、変更スケジュール情報（ＣＳ１）と機器動作時間情報（Ｄ１）との第２の差異（ｄｆ２）を認識可能な提示画面（Ｇ１〜Ｇ４）を表示する。これにより、オペレータは、第１の差異（ｄｆ１）、第２の差異（ｄｆ２）を認識することができるので、スケジュール情報（Ｓ１）とは異なる動作が機器（１１ａ）により行われた場合の原因を第１の差異（ｄｆ１）、第２の差異（ｄｆ２）に基づいて特定することができる。
【図面の簡単な説明】
【００２５】
【図１】図１は、第１の実施の形態にかかるスケジュール管理システムの構成を示すブロック図である。
【図２】図２は、制御装置の構成を示すブロック図である。
【図３】図３は、スケジュール情報の説明に供する図である。
【図４】図４は、変更後スケジュール情報の説明に供する図である。
【図５】図５は、機器動作時間情報の説明に供する図である。
【図６】図６は、中央制御装置の構成を示すブロック図である。
【図７】図７は、スケジュール情報とは異なる変更スケジュール情報が得られた場合の比較画面を示す図である。
【図８】図８は、変更スケジュール情報とは異なる機器動作時間情報が得られた場合の比較画面を示す図である。
【図９】図９は、比較画面の作成表示処理手順を示すフローチャートである。
【図１０】図１０は、第２の実施の形態にかかる中央制御装置の構成を示すブロック図である。
【図１１】図１１は、スケジュール情報、変更後スケジュール情報、および、機器動作時間情報間の差異の説明に供する図である。
【図１２】図１２は、差異可視化画面作成部の構成を示すブロック図である。
【図１３】図１３は、複数の照明機器に対するヒストグラム画面を示す図である。
【図１４】図１４は、警報画面を示す図である。
【図１５】図１５は、推移画面を示す図である。
【図１６】図１６は、差異可視化画面の作成表示処理手順を示すフローチャートである。
【図１７】図１７は、第３の実施の形態において数値化情報の生成の説明に供する図である。
【図１８】図１８は、第３の実施の形態において１つの照明機器の時系列に沿ったヒストグラム画面を示す図である。
【図１９】図１９は、第４の実施の形態において複数の変更スケジュール情報が生成された場合の比較画面を示す図である。
【図２０】図２０は、第４の実施の形態において複数の変更スケジュール情報が生成された場合のヒストグラム画面を示す図である。
【図２１】図２１は、従来のスケジュール管理システムの構成を示すブロック図である。
【図２２】図２２は、スケジュール情報から変更された変更スケジュール情報にしたがって機器が動作したときの機器動作時間情報を示す図である。
【図２３】図２３は、スケジュール情報および変更スケジュール情報にしたがって機器が動作しなかったときの機器動作時間情報を示す図である。
【図２４】図２４は、スケジュール情報が変更された場合の機器動作の振る舞いを示す図である。
【図２５】図２５は、スケジュールが変更されていない場合の機器動作の振る舞いを示す図である。
【発明を実施するための形態】
【００２６】
＜実施の形態＞
以下、図面を参照しながら本発明にかかる第１の実施の形態乃至第４の実施の形態について説明する。
【００２７】
＜第１の実施の形態＞
第１の実施の形態におけるスケジュール管理システムは、スケジュール情報によって運転動作を管理する照明機器に動作時間の遅れが生じている場合、スケジュール情報と変更スケジュール情報との間の時間的な差異、および、変更スケジュール情報と照明機器の動作時刻を表す機器動作時間情報との間の時間的な差異をそれぞれ可視化して表示することにより、照明機器の動作時間遅れの原因をオペレータに特定させることを可能としたシステムである。
【００２８】
＜スケジュール管理システムの構成＞
図１に示すように、本発明の第１の実施の形態にかかるスケジュール管理システム１００は、複数の照明機器１１ａ〜１１ｅ、１２ａ〜１２ｅと、これらの照明機器の運転動作を制御する制御装置２０Ａ、２０Ｂと、制御装置２０Ａ、２０Ｂを統括する中央制御装置５０と、モニタ６０と、照明機器が設置されている現場で照明機器の運転動作を変更する現場操作器１４Ａ、１４Ｂとを備えている。
【００２９】
＜照明機器＞
照明機器１１ａ〜１１ｅおよび１２ａ〜１２ｅは、ビル内の部屋Ｒ１およびＲ２の天井に設置された蛍光灯またはＬＥＤ(Light Emitting Diode)等である。なお、照明機器１１ａ〜１１ｅおよび照明機器１２ａ〜１２ｅは全て同一の構成である。
【００３０】
＜制御装置＞
制御装置２０Ａ、２０Ｂは、照明機器１１ａ〜１１ｅ、１２ａ〜１２ｅの運転動作を制御する機能部である。なお、制御装置２０Ａ、２０Ｂは、ＣＰＵ(Central Processing Unit)、メモリ、インタフェース等からなるコンピュータ（ハードウェア）にコンピュータプログラム（ソフトウェア）をインストールすることによって実現され、当該制御装置２０Ａ、２０Ｂの後述する各機能部が、コンピュータの各種ハードウェア資源とコンピュータプログラムとが協働することによって実現される。ここで、制御部２０Ａ、２０Ｂは互いに同一構成であるので、便宜上、制御装置２０Ａの構成について説明する。
【００３１】
図２に示すように、制御装置２０Ａは、送受信部２０ａ、スケジュール情報記憶部２０ｂ、変更スケジュール情報生成部２０ｃ、機器制御部２０ｄ、および、機器動作時間情報生成部２０ｅを備えている。
【００３２】
≪送受信部≫
送受信部２０ａは、中央制御装置５０と照明機器１１ａ〜１１ｅとの間でデータの授受を行う機能部である。
【００３３】
具体的には、送受信部２０ａは、スケジュール情報を中央制御装置５０から受信したり、照明機器１１ａ〜１１ｅの運転動作を制御するための制御信号等を当該照明機器１１ａ〜１１ｅへ送信する機能を有している。
【００３４】
≪スケジュール情報記憶部≫
スケジュール情報記憶部２０ｂは、メモリ上に構築される記憶部であり、送受信部２０ａを介して中央制御装置５０から受信したスケジュール情報等を記憶するものである。
【００３５】
図３に示すように、スケジュール情報Ｓ１は、ＯＮで示される開始時刻８：００、および、ＯＦＦで示される終了時刻１８：００にしたがって照明機器１１ａの運転動作を時系列に管理する時間情報である。
【００３６】
≪変更スケジュール情報生成部≫
変更スケジュール情報生成部２０ｃは、外部の現場操作器１４Ａからスケジュール情報Ｓ１の変更要求を受けたことに応じて、当該スケジュール情報Ｓ１の開始時刻や終了時刻を変更し、その変更後のスケジュール情報（以下、これを「変更スケジュール情報」と呼ぶ。）を生成する機能部である。
【００３７】
図４に示すように、変更スケジュール情報ＣＳ１は、例えば、スケジュール情報Ｓ１と同様に、ＯＮで示される開始時刻８：００、および、ＯＦＦで示される終了時刻１９：００にしたがって照明機器１１ａの運転動作を時系列に管理する時間情報である。この変更スケジュール情報ＣＳ１では、スケジュール情報Ｓ１の終了時刻１８：００が１９：００に変更されている。
【００３８】
変更スケジュール情報生成部２０ｃは、変更スケジュール情報ＣＳ１を生成すると、この変更スケジュール情報ＣＳ１をスケジュール情報記憶部２０ｂに記憶する。なお、この変更スケジュール情報ＣＳ１は、スケジュール情報記憶部２０ｂに記憶されるだけでなく、送受信部２０ａにより画面作成部５５へ送信される。
【００３９】
なお、変更スケジュール情報生成部２０ｃは、現場操作器１４Ａから変更要求を受けていない場合には、スケジュール情報Ｓ１を変更することなく、そのスケジュール情報Ｓ１をそのまま変更スケジュール情報ＣＳ１として、スケジュール情報記憶部２０ｂに記憶する。
【００４０】
≪機器制御部≫
機器制御部２０ｄは、スケジュール情報Ｓ１または変更スケジュール情報ＣＳ１の開始時刻および終了時刻にしたがって点灯命令または消灯命令を意味する制御信号を生成し、送受信部２０ａにより照明機器１１ａ〜１１ｅへ出力する機能部である。
【００４１】
≪機器動作時間情報生成部≫
機器動作時間情報生成部２０ｅは、送受信部２０ａにより出力された制御信号にしたがって、照明機器１１ａが実際に点灯動作および消灯動作したときの機器動作開始時刻や機器動作終了時刻等を表す時間情報（以下、これを「機器動作時間情報」と呼ぶ。）を生成する機能部である。機器動作時間情報生成部２０ｅは、照明機器１１ａの機器動作時間情報を生成すると、これを送受信部２０ａにより画面作成部５５へ送信する。
【００４２】
図５に示すように、機器動作時間情報Ｄ１は、変更スケジュール情報ＣＳ１にしたがって照明機器１１ａが実際に動作したときのＯＮで示される開始時刻８：００およびＯＦＦで示される終了時刻１９：００を時系列に表した時間情報である。
【００４３】
＜現場操作器＞
現場操作器１４Ａおよび１４Ｂは、同一構成であり、ここでは便宜上、現場操作器１４Ａについてのみ説明する。現場操作器１４Ａは、制御装置２０Ａが照明機器１１ａの運転動作を管理しているスケジュール情報Ｓ１の内容を変更したいときにオペレータが操作するデバイスであり、照明機器１１ａの設置されている部屋Ｒ１に配置された例えばリモートコントローラ等が該当する。
【００４４】
現場操作器１４Ａは、図示しないが入力部、記憶部および演算処理部を備えている。現場操作器１４Ａは、スケジュール情報Ｓ１の終了時刻１８：００を１９：００に変更する入力操作が入力部を介してオペレータにより行われると、演算処理部により、終了時刻１９：００を表す終了時刻情報をスケジュール情報Ｓ１の変更要求として生成し、これを制御装置２０Ａに送信する。
【００４５】
＜中央制御装置＞
図６に示すように、中央制御装置５０は、制御装置２０Ａ、２０Ｂを統括制御することにより、照明機器１１ａ〜１１ｅ、および、１２ａ〜１２ｅの運転動作を管理するものである。
【００４６】
中央制御装置５０は、ＣＰＵ、メモリ、キーボード等のインタフェースからなるコンピュータ（ハードウェア）にコンピュータプログラム（ソフトウェア）をインストールすることによって実現され、当該中央制御装置５０の後述する各機能部が、コンピュータの各種ハードウェア資源とコンピュータプログラムとが協働することによって実現される。中央制御装置５０は、スケジュール情報生成部５１、比較画面作成部５２、および、表示制御部５６を備えている。
【００４７】
≪スケジュール情報生成部≫
スケジュール情報生成部５１は、照明機器１１ａ〜１１ｅの運転動作を管理するスケジュール情報Ｓ１を生成する機能部である。スケジュール情報生成部５１は、オペレータにより入力された開始時刻および終了時刻の時間情報に基づいてスケジュール情報Ｓ１を生成する。このスケジュール情報Ｓ１は、制御装置２０Ａおよび比較画面作成部５２に出力される。
【００４８】
≪比較画面作成部≫
比較画面作成部５２は、スケジュール情報Ｓ１と変更スケジュール情報ＣＳ１との間の時間的な差異、および、変更スケジュール情報ＣＳ１と機器動作時間情報Ｄ１との間の時間的な差異を、オペレータが認識可能な状態に可視化した提示画面を作成する機能部である。
【００４９】
比較画面作成部５２は、スケジュール情報生成部５１から受け取ったスケジュール情報Ｓ１、制御装置２０Ａから受信した変更スケジュール情報ＣＳ１、および、機器動作時間情報Ｄ１に基づいて、図７に示すように、スケジュール情報Ｓ１、変更スケジュール情報ＣＳ１および機器動作時間情報Ｄ１を比較可能な状態に複数並べた比較画面Ｇ１を作成する。
【００５０】
具体的には、比較画面作成部５２は、スケジュール情報Ｓ１に基づいて、開始時刻８：００でＯＦＦからＯＮに立ち上がり、終了時刻１８：００でＯＮからＯＦＦに立ち下がる振る舞いを可視化した画面（以下、これを「スケジュール情報画面」と呼ぶ。）ＳＧ１を作成する。
【００５１】
同様に、比較画面作成部５２は、変更スケジュール情報ＣＳ１に基づいて、開始時刻８：００でＯＦＦからＯＮに立ち上がり、終了時刻１９：００でＯＮからＯＦＦに立ち下がる振る舞いを可視化した画面（以下、これを「変更スケジュール情報画面」と呼ぶ。）ＣＳＧ１を作成する。
【００５２】
同様に、比較画面作成部５２は、機器動作時間情報Ｄ１に基づいて、開始時刻８：００でＯＦＦからＯＮに立ち上がり、終了時刻１９：００でＯＮからＯＦＦに立ち下がる振る舞いを可視化した画面（以下、これを「機器動作時間情報画面」と呼ぶ。）ＤＧ１を作成する。
【００５３】
その後、比較画面作成部５２は、スケジュール情報画面ＳＧ１、変更スケジュール情報画面ＣＳＧ１、および、機器動作時間情報画面ＤＧ１の時間軸を揃えた状態で縦一列に並べた画面（以下、これを「比較画面」と呼ぶ。）Ｇ１を作成し、これを記憶部に記憶する。
【００５４】
このように、比較画面作成部５２は、スケジュール情報Ｓ１、変更スケジュール情報ＣＳ１、および、機器動作時間情報Ｄ１に基づいて、照明機器１１ａ〜１１ｅごとにそれぞれ提示画面Ｇ１を作成し、記憶部に記憶しておく。
【００５５】
なお、変更スケジュール情報画面ＣＳＧ１には、終了時刻１９：００でＯＮからＯＦＦに立ち下がることを示す実線ＳＬ１だけでなく、変更前のスケジュール情報Ｓ１の終了時刻１８：００でＯＮからＯＦＦに立ち下がることを示す破線ＤＬ１についても表示されている。
【００５６】
また、この実線ＳＬ１および破線ＤＬ１で示される終了時刻１８：００〜１９：００間のスペースは、例えば青色で着色されている。ここで、青色は、スケジュール情報Ｓ１の終了時刻１８：００と変更スケジュール情報ＣＳ１の終了時刻１９：００との間には、６０分間の乖離が生じていることを意味するものとする。
【００５７】
このように、比較画面Ｇ１は、スケジュール情報Ｓ１と変更スケジュール情報ＣＳ１との間に時間的な差異が存在していることを、変更スケジュール情報画面ＣＳＧ１の実線ＳＬ１および破線ＤＬ１により視覚的に示している。
【００５８】
また、比較画面Ｇ１は、スケジュール情報Ｓ１の終了時刻１８：００と機器動作時間情報Ｄ１の終了時刻１９：００との間に時間的な差異が存在しているが、変更スケジュール情報ＣＳ１の終了時刻１９：００と機器動作時間情報Ｄ１の終了時刻１９：００との間には時間的な差異が存在していないことについても視覚的に示している。
【００５９】
さらに、比較画面作成部５２は、図８に示すように、スケジュール情報生成部５１からスケジュール情報Ｓ１を受け取り、制御装置２０Ａから変更スケジュール情報ＣＳ１ｓ、および、機器動作時間情報Ｄ１ｓを受信した場合、スケジュール情報Ｓ１、変更スケジュール情報ＣＳ１ｓおよび機器動作時間情報Ｄ１ｓを比較可能な状態に複数並べた比較画面Ｇ１ｓを作成する。
【００６０】
すなわち比較画面作成部５２は、比較画面Ｇ１と同様に、スケジュール情報画面ＳＧ１、変更スケジュール情報画面ＣＳＧ１ｓ、および、機器動作時間情報画面ＤＧ１ｓの時間軸を揃えた状態で縦一列に並べた比較画面Ｇ１ｓを作成する。
【００６１】
この比較画面Ｇ１ｓにおいても、変更スケジュール情報ＣＳ１ｓと機器動作時間情報Ｄ１ｓとの間に時間的な差異が存在していることを、機器動作時間情報画面ＤＧ１ｓの実線ＳＬ２および破線ＤＬ２により視覚的に示している。
【００６２】
また、この実線ＳＬ２および破線ＤＬ２で示される終了時刻１８：００〜１９：００間のスペースは、例えば赤色で着色されている。ここで、赤色は、スケジュール情報Ｓ１の終了時刻１８：００と機器動作情報Ｄ１ｓの終了時刻１９：００との間には、６０分間の乖離が生じていることを意味するものとする。
【００６３】
このように、比較画面Ｇ１ｓは、変更スケジュール情報ＣＳ１ｓと機器動作時間情報Ｄ１ｓとの間には時間的な差異が存在していることを、機器動作時間情報Ｄ１ｓの実線ＳＬ２および破線ＤＬ２により視覚的に示している。
【００６４】
また、比較画面Ｇ１ｓは、スケジュール情報Ｓ１の終了時刻１８：００と変更スケジュール情報ＣＳ１ｓの終了時刻１８：００との間には時間的な差異が存在せず、スケジュール情報Ｓ１の終了時刻１８：００と機器動作時間情報Ｄ１の終了時刻１９：００との間には時間的な差異が存在していることについても視覚的に示している。
【００６５】
＜表示制御部＞
表示制御部５６は、比較画面作成部５２により作成された照明機器１１ａ〜１１ｅ毎の比較画面Ｇ１または比較画面Ｇ１ｓをモニタ６０に表示する機能部である。なお、表示制御部５６は、照明機器１１ａ〜１１ｅにそれぞれ対応した比較画面Ｇ１を複数同時にモニタ６０に表示することも可能である。
【００６６】
＜中央制御装置の動作＞
このような構成のスケジュール管理システム１００の中央制御装置５０の動作について説明する。中央制御装置５０は、スケジュール情報生成部５１により照明機器１１ａ〜１１ｅのスケジュール情報Ｓ１を生成して制御装置２０Ａへ送信し、その制御装置２０Ａのスケジュール情報記憶部２０ｂにスケジュール情報Ｓ１を記憶させる。
【００６７】
制御装置２０Ａは、スケジュール情報Ｓ１に従って、開始時刻８：００に点灯命令を意味する制御信号を出力し、終了時刻１８：００に消灯命令を意味する制御信号を出力することにより、照明機器１１ａ〜１１ｅの運転動作を制御する。
【００６８】
このとき、制御装置２０Ａは、現場操作器１４Ａによりスケジュール情報Ｓ１の変更要求を受けると、その変更要求の内容にしたがって変更スケジュール情報ＣＳ１を生成し、それ以降、変更スケジュール情報ＳＣ１にしたがって照明機器１１ａ〜１１ｅの運転動作を制御する。
【００６９】
制御装置２０Ａは、変更スケジュール情報ＳＣ１にしたがって照明機器１１ａ〜１１ｅの運転動作を制御した後、照明機器１１ａ〜１１ｅそれぞれの機器動作時間情報Ｄ１を生成し、これらを中央制御装置５０の比較画面作成部５２へ送信する。
【００７０】
中央制御装置５０は、図９に示すように、スケジュール情報生成部５１からのスケジュール情報Ｓ１、制御装置２０Ａからの変更スケジュール情報ＳＣ１および照明機器１１ａ〜１１ｅの機器動作時間情報Ｄ１を比較画面作成部５２により取得する（ステップＳＰ１）。
【００７１】
中央制御装置５０は、スケジュール情報Ｓ１、変更スケジュール情報ＳＣ１および機器動作時間情報Ｄ１が３つ揃うと、比較画面作成部５２により、照明機器１１ａ〜１１ｅごとに比較画面Ｇ１またはＧ１ｓをそれぞれ作成する（ステップＳＰ２）。
【００７２】
中央制御装置５０は、照明機器１１ａに対する比較画面の表示要求を表示制御部５６が外部から受け取ると、表示制御部５６は比較画面作成部５２から照明機器１１ａに対する比較画面Ｇ１またはＧ１ｓを読み出してモニタ６０に出力し、比較画面Ｇ１またはＧ１ｓを表示した後（ステップＳＰ３）、処理を終了する。
【００７３】
＜第１の実施の形態の効果＞
中央制御装置５０は、オペレータからの表示要求に応じて照明機器１１ａに対する比較画面Ｇ１（図７参照。）をモニタ６０に出力する。これにより、モニタ６０は、スケジュール情報画面ＳＧ１、変更スケジュール情報画面ＣＳＧ１、および、機器動作時間情報画面ＤＧ１の時間軸を揃えた状態で縦一列に並べた比較画面Ｇ１を表示することができる。
【００７４】
オペレータは、縦一列に並べられたスケジュール情報画面ＳＧ１と、変更スケジュール情報画面ＣＳＧ１と、機器動作時間情報画面ＤＧ１とを相互に見比べることにより、スケジュール情報Ｓ１と変更スケジュール情報ＣＳ１との間に時間的な差異が存在し、変更スケジュール情報ＣＳ１と機器動作時間情報Ｄ１との間には時間的な差異が存在していないことを、視覚的かつ直感的に認識することができる。
【００７５】
特に、オペレータは、変更スケジュール情報画面ＣＳＧ１に表示された破線ＤＬ１および実線ＳＬ１により挟まれた終了時刻１８：００〜１９：００間のスペースが青色で着色されていることを確認し、かつ、変更スケジュール情報ＣＳ１と機器動作時間情報Ｄ１との間には時間的な差異が存在していないことを確認することができる。
【００７６】
これにより、オペレータは、照明機器１１ａがスケジュール情報Ｓ１の終了時刻１８：００よりも１時間遅い終了時刻１９：００に消灯したときの動作時間遅れの原因が、変更スケジュール情報ＣＳ１による終了時刻の変更であると瞬時に理解することができる。
【００７７】
また、中央制御装置５０は、オペレータからの表示要求に応じて照明機器１１ａに対する比較画面Ｇ１ｓ（図８参照。）をモニタ６０に表示した場合、オペレータに比較画面Ｇ１ｓを目視確認させることができる。
【００７８】
オペレータは、縦一列に並べられたスケジュール情報画面ＳＧ１と、変更スケジュール情報画面ＣＳＧ１ｓと、機器動作時間情報画面ＤＧ１ｓとを相互に見比べることにより、スケジュール情報Ｓ１と変更スケジュール情報ＣＳ１ｓとの間に時間的な差異が存在せず、変更スケジュール情報ＣＳ１ｓと機器動作時間情報Ｄ１ｓとの間には時間的な差異が存在していることを、視覚的かつ直感的に認識することができる。
【００７９】
特に、オペレータは、機器動作時間情報画面ＤＧ１ｓに表示された破線ＤＬ２および実線ＳＬ２により挟まれた終了時刻１８：００〜１９：００間のスペースが赤色で着色されていることを確認し、かつ、スケジュール情報Ｓ１と変更スケジュール情報ＣＳ１ｓとの間には時間的な差異が存在していないことを確認することができる。
【００８０】
これにより、オペレータは、照明機器１１ａが変更スケジュール情報ＣＳ１ｓの終了時刻１８：００よりも１時間遅い終了時刻１９：００に消灯した動作時間遅れの原因が、制御装置２０Ａと照明機器１１ａとの間の通信状態の不具合によるものである可能性が高いと瞬時に理解することができる。
【００８１】
＜第２の実施の形態＞
第２の実施の形態におけるスケジュール管理システムは、スケジュール情報Ｓ１と変更スケジュール情報ＣＳ１との間の時間的な差異、および、変更スケジュール情報ＣＳ１と機器動作時間情報Ｄ１との間の時間的な差異に基づいて、スケジュール情報Ｓ１のスケジュールよりも動作時間遅れが生じている照明機器１１ａ〜１１ｅを一覧表示するシステムである。
【００８２】
＜スケジュール管理システムの構成＞
この第２の実施の形態におけるスケジュール管理システムは、第１の実施の形態にかかるスケジュール管理システム１００（図１参照。）と同様の構成を有しているが、中央制御装置５０に換えて中央制御装置５０Ｓを備えている。
【００８３】
＜中央制御装置＞
図１０に示すように、第２の実施の形態における中央制御装置５０Ｓは、スケジュール情報生成部５１、画面作成部５５、および表示制御部５６を備えている。なお、第２の実施の形態における中央制御装置５０Ｓは、画面作成部５５において、第１の実施の形態における比較画面作成部５２に加えて、数値化計算部５３および差異可視化画面作成部５４が追加された構成を有している。ちなみに、スケジュール情報生成部５１、および、表示制御部５６は、第１の実施の形態と同じであるため同一の符号を用いており、その詳細な説明は省略する。
【００８４】
＜画面作成部＞
画面作成部５５は、照明機器１１ａ〜１１ｅに関し、スケジュール情報Ｓ１と、変更スケジュール情報ＣＳ１との間の時間的な差異、および、変更スケジュール情報ＣＳ１と機器動作時間情報Ｄ１との間の時間的な差異に基づいて、オペレータが直観的に認識可能な状態に可視化した比較画面Ｇ１や、後述する差異可視化画面を作成する機能部である。
【００８５】
この画面作成部５５は、比較画面作成部５２、数値化計算部５３、および、差異可視化画面作成部５４を備えている。
【００８６】
≪数値化計算部≫
数値化計算部５３は、スケジュール情報Ｓ１と変更スケジュール情報ＣＳ１との間の時間的な差異、および、変更スケジュール情報ＣＳ１と機器動作時間情報Ｄ１との間の時間的な差異を数値化する機能部である。
【００８７】
具体的には、数値化計算部５３は、図１１に示すように、スケジュール情報Ｓ１と変更スケジュール情報ＣＳ１との時間的な差異（以下、これを「第１の差異」と呼ぶ。）ｄｆ１を数値化した第１の数値化情報ν１を生成するとともに、変更スケジュール情報ＣＳ１と機器動作時間情報Ｄ１との差異（以下、これを「第２の差異」と呼ぶ。）ｄｆ２を数値化した第２の数値化情報ν２を生成する。
【００８８】
数値化計算部５３は、スケジュール情報Ｓ１がＯＮのときを「１」とし、変更スケジュール情報ＣＳ１がＯＦＦのときを「０」として、１分間ごとの周期で算出する差分ｘ（ｔ）の全加算結果を第１の数値化情報ν１として、次の（式１）により求める。
【００８９】
ν１＝Σt｜ｘ(t)｜………………………………………………………………（式１）
ここで、ｔは、時刻であり、（式１）は０：００〜２３：５９：５９までの１日間での差分ｘ（ｔ）の絶対値を加算することを意味する。この場合、スケジュール情報Ｓ１の終了時刻が１８：００となっているのに対して、変更スケジュール情報ＣＳ１の終了時刻が１９：００となっているので、差分ｘ（ｔ）が得られるのは６０分間だけであり、第１の数値化情報ν１は「６０」となる。
【００９０】
また、数値化計算部５３は、同様に、変更スケジュール情報ＣＳ１と機器動作時間情報Ｄ１との第２の差異ｄｆ２を数値化した第２の数値化情報ν２を、（式１）の「ν１」を「ν２」に置き換えて求めることが可能である。
【００９１】
この場合、変更スケジュール情報の終了時刻１９：００に対して、機器動作時間情報の終了時刻１９：００であるため、差分ｘ（ｔ）が存在せず、第２の数値化情報ν２は「０」となる。
【００９２】
数値化計算部５３は、照明機器１１ａ〜１１ｅ毎に第１の数値化情報ν１および第２の数値化情報ν２を求め、これらを差異可視化画面作成部５４に出力する。
【００９３】
≪差異可視化画面作成部≫
差異可視化画面作成部５４は、第１の数値化情報ν１および第２の数値化情報ν２に基づいて、スケジュール情報Ｓ１と変更スケジュール情報ＣＳ１との第１の差異ｄｆ１、および、変更スケジュール情報ＣＳ１と機器動作時間情報ｄ１との第２の差異ｄｆ２を可視化した画面（以下、これを「差異可視化画面」と呼ぶ。）を作成する機能部である。
【００９４】
図１２に示すように、差異可視化画面作成部５４は、グラフ画面作成部５４ａ、警報画面作成部５４ｂ、および、推移画面作成部５４ｃを備えている。
【００９５】
グラフ画面作成部５４ａは、スケジュール情報Ｓ１または変更スケジュール情報ＣＳ１とは異なる運転動作が照明機器１１ａ〜１１ｅにより行われた場合、数値化計算部５３により照明機器１１ａ〜１１ｅ毎に求められた第１の数値化情報ν１および第２の数値化情報ν２に基づいて、照明機器１１ａ〜１１ｅに対するヒストグラム画面を作成する機能部である。
【００９６】
具体的には、グラフ画面作成部５４ａは、例えば照明機器１１ｂにおける第１の数値化情報ν１が「６０」であり、照明機器１１ｄにおける第２の数値化情報ν２が「６０」であった場合、図１３に示すように、第１および第２の数値化情報ν１、ν２を照明機器１１ｂ、１１ｄのビンとして反映したヒストグラム画面Ｇ２を作成する。
【００９７】
このヒストグラム画面Ｇ２では、照明機器１１ｂのビンが第１の差異ｄｆ１であることを示すために青色で塗りつぶされており、照明機器１１ｄのビンが第２の差異ｄｆ２であることを示すために赤色（図中ではハッチングされた部分）で塗りつぶされている。
【００９８】
警報画面作成部５４ｂは、数値化計算部５３により照明機器１１ａ〜１１ｅ毎に求められた第１の数値化情報ν１および第２の数値化情報ν２に基づいて、警報を出す必要のある照明機器だけを特定した画面（以下、これを「警報画面」と呼ぶ。）を作成する機能部である。
【００９９】
この警報画面作成部５４ｂは、照明機器１１ａ〜１１ｅ毎に求めた第１および第２の数値化情報ν１、ν２と比較する処理に用いられる閾値ｔｈ１（例えば「３０」）を記憶している。
【０１００】
具体的には、警報画面作成部５４ｂは、照明機器１１ｂにおける第１の数値化情報ν１が「６０」であり、照明機器１１ｄにおける第２の数値化情報ν２が「６０」であった場合、第１および第２の数値化情報ν１、ν２の双方ともに閾値ｔｈ１よりも大きいので、図１４に示すように、警報対象の照明機器１１ｂ、１１ｄを特定した警報画面Ｇ３を作成する。
【０１０１】
この警報画面Ｇ３には、警報対象月日（２０１５年＊＊月＊＊日）と、警報対象が照明機器１１ｂ、１１ｄであることを知らせる警報対象表示欄Ｇ３ａ、Ｇ３ｂとが表示されている。
【０１０２】
警報対象表示欄Ｇ３ａは、警報の種類が「警報１」であること、すなわち、第１の数値化情報ν１（６０）に基づく警報であることを示している。また、警報対象表示欄Ｇ３ｂは、警報の種類が「警報２」であること、すなわち、第２の数値化情報ν２（６０）に基づく警報であることを示している。
【０１０３】
推移画面作成部５４ｃは、第２の数値化情報ν２に基づいて、第２の数値化情報ν２の値の推移を時系列に表した画面（以下、これを「推移画面」と呼ぶ。）を照明機器１１ａ〜１１ｅ毎に作成する機能部である。
【０１０４】
具体的には、図１５に示すように、推移画面作成部５４ｃは、数値化計算部５３から取得した過去数日分の第２の数値化情報ν２に基づいて、変更スケジュール情報ＣＳ１と照明機器１１ｄの機器動作時間情報Ｄ１との第２の差異ｄｆ２を時系列に折れ線グラフで表した推移画面Ｇ４を作成する。
【０１０５】
この推移画面Ｇ４は、第２の数値化情報ν２が次第に増加することを示すとともに、２０１５年１月９日には、「警報２」の警報対象となる閾値ｔｈ１（この場合「３０」）を超えた様子が示されている。
【０１０６】
＜中央制御装置の動作＞
続いて、中央制御装置５０Ｓがスケジュール情報Ｓ１と変更スケジュール情報ＣＳ１との第１の差異ｄｆ１、および、変更スケジュール情報ＣＳ１と機器動作時間情報ｄ１との第２の差異ｄｆ２を可視化した差異可視化画面（ヒストグラム画面Ｇ２、警報画面Ｇ３および推移画面Ｇ４）を作成して表示する動作を説明する。
【０１０７】
中央制御装置５０Ｓは、図１６に示すように、数値化計算部５３において、スケジュール情報Ｓ１、変更スケジュール情報ＣＳ１および機器動作時間情報Ｄ１を全Ｎ個（この場合Ｎ＝５）の照明機器１１ａ〜１１ｅから取得する必要があり、照明機器１１ａ〜１１ｅの個数（Ｎ）をカウントするために「ｎ＝１」と初期値を設定する（ステップＳＰ１）。
【０１０８】
中央制御装置５０Ｓは、数値化計算部５３により、まず照明機器１１ａのスケジュール情報Ｓ１、変更スケジュール情報ＣＳ１および機器動作時間情報Ｄ１を取得する（ステップＳＰ１２）。
【０１０９】
中央制御装置５０Ｓは、スケジュール情報Ｓ１、変更スケジュール情報ＣＳ１および機器動作時間情報Ｄ１に基づいて第１の差異ｄｆ１、第２の差異ｄｆ２を数値化し、照明機器１１ａに対する第１の数値化情報ν１および第２の数値化情報ν２を求める（ステップＳＰ１３）。
【０１１０】
中央制御装置５０Ｓは、数値化計算部５３により、ｎ＝Ｎとなったか否かを判定する（ステップＳＰ１４）。ｎ＝Ｎとなっていない場合（ステップＳＰ１４：ＮＯ）、ステップＳＰ１２に戻る。
【０１１１】
中央制御装置５０Ｓは、同様に、次の照明機器１１ｂから照明機器１１ｅまでのスケジュール情報Ｓ１、変更スケジュール情報ＣＳ１および機器動作時間情報Ｄ１を順番に取得し（ステップＳＰ１２）、照明機器１１ｂ〜照明機器１１ｅに対する第１の数値化情報ν１および第２の数値化情報ν２をそれぞれ求める（ステップＳＰ１３）。
【０１１２】
中央制御装置５０Ｓは、数値化計算部５３により、ｎ＝Ｎとなったと認識した場合（ステップＳＰ１４：ＹＥＳ）、差異可視化画面作成部５４により、第１および第２の数値化情報ν１、ν２に基づいて、差異可視化画面（ヒストグラム画面Ｇ２、警報画面Ｇ３および推移画面Ｇ４）を作成し、これらをオペレータからの要求に応じてモニタ６０に表示し（ステップＳＰ１６）、その後終了する。
【０１１３】
＜第２の実施の形態の効果＞
中央制御装置５０Ｓは、第１の実施の形態と同様、オペレータの入力部の操作に応じて、画面作成部５５の比較画面作成部５２により作成された照明機器１１ａ〜１１ｅ毎の比較画面Ｇ１（図７参照。）または比較画面Ｇ１ｓ（図８参照。）を表示制御部５６によりモニタ６０に表示することができる。
【０１１４】
ただし、照明機器１１ａ〜１１ｅごとの比較画面Ｇ１では、照明機器１１ａ〜１１ｅごとの比較画面Ｇ１を全てオペレータが確認しない限り、照明機器１１ａ〜１１ｅの動作時間遅れの原因を全て特定することはできなかった。
【０１１５】
しかしながら、中央制御装置５０Ｓの表示制御部５６は、オペレータの入力部の操作に応じて、ヒストグラム画面Ｇ２の表示要求を受け取ると、比較画面Ｇ１に換えて、グラフ画面作成部５４ａにより作成された照明機器１１ａ〜１１ｅに対するヒストグラム画面Ｇ２をモニタ６０に表示することができる。
【０１１６】
オペレータは、ヒストグラム画面Ｇ２（図１３参照。）を確認することにより、複数の照明機器１１ａ〜１１ｅのうち、スケジュール情報Ｓ１、変更スケジュール情報ＣＳ１、機器動作時間情報Ｄ１との間に時間的な差異の存在するのが照明機器１１ｂおよび１１ｄだけであると瞬時に理解することができる。
【０１１７】
特に、オペレータは、ヒストグラム画面Ｇ２において、青色で塗りつぶされた照明機器１１ｂのビンを認識することにより、スケジュール情報Ｓ１とは異なる照明機器１１ｂの動作時間遅れの原因が、変更スケジュール情報ＣＳ１によるスケジュール情報Ｓ１の終了時刻の変更にあったと理解することができる。
【０１１８】
また、オペレータは、赤色で塗りつぶされた照明機器１１ｄのビンを認識することにより、変更スケジュール情報ＣＳ１とは異なる照明機器１１ｄの動作時間遅れの原因が、制御装置２０Ａと照明機器１１ｄとの間の通信状態の不具合にあったと理解することができる。
【０１１９】
このように、オペレータは、ヒストグラム画面Ｇ２を確認するだけで、照明機器１１ａ〜１１ｅの動作時間遅れの原因を全て認識することができる。
【０１２０】
また、表示制御部５６は、オペレータの入力部の操作に応じて、照明機器１１ａ〜１１ｅに対する警報画面Ｇ３の表示要求を受け取ると、ヒストグラム画面Ｇ２に換えて、警報画面作成部５４ｂにより作成された警報画面Ｇ３をモニタ６０に表示することができる。
【０１２１】
これにより、オペレータは、警報画面Ｇ３の警報対象表示欄Ｇ３ａを介して照明機器１１ｂが警報対象であることを認識すると、照明機器１１ｂの設置されている部屋Ｒ１の運用責任者に連絡して照明機器１１ｂの消し忘れではないかを確認することができる。
【０１２２】
また、オペレータは、警報画面Ｇ３の警報対象表示欄Ｇ３ｂを介して照明機器１１ｄが警報対象であることを認識すると、照明機器１１ｄの通信機能の点検作業を行うことができる。
【０１２３】
なお、中央制御装置５０Ｓの表示制御部５６は、オペレータの入力部の操作に応じて、通信状態の不具合を認識した照明機器１１ｄに対する推移画面Ｇ４の表示要求を受け取ると、警報画面Ｇ３に換えて、推移画面作成部５４ｃにより作成された照明機器１１ｄに対する推移画面Ｇ４をモニタ６０に表示することができる。
【０１２４】
これにより、オペレータは、推移画面Ｇ４を確認することにより、過去数日間の間に次第に通信状態の不具合が発生している時間が増加している経緯を理解することができる。かくして、オペレータは、推移画面Ｇ４に基づいて照明機器１１ｄの通信機能が次第に劣化していると判断することができるので、この推移画面Ｇ４を照明機器１１ａ〜１１ｅごとの劣化傾向診断に利用することもできる。
【０１２５】
＜第３の実施の形態＞
第３の実施の形態におけるスケジュール管理システムは、第１の数値化情報ν１および第２の数値化情報ν２を、０：００〜２３：５９：５９までの１日間単位で求めるのではなく、照明機器１１ａ〜１１ｅが点灯している動作時間帯（８：００〜１８：００）と、消灯している非動作時間帯（０：００〜８：００、１８：００〜２３：５９）とに分けて求め、第１の数値化情報ν１および第２の数値化情報ν２に基づいて、動作時間帯または非動作時間帯ごとの照明機器の動作時間遅れの原因をオペレータに特定させることを可能とするシステムである。
【０１２６】
第３の実施の形態においては、第２の実施の形態におけるスケジュール管理システム１００と基本的な構成は同じであるが、数値化計算部５３における数値化計算手法が異なっているだけである。
【０１２７】
第３の実施の形態における数値化計算部５３は、スケジュール情報Ｓ１に基づいて照明機器１１ａ〜１１ｅが点灯している動作時間帯（８：００〜１８：００）と、照明機器１１ａ〜１１ｅが消灯している非動作時間帯（０：００〜８：００、１８：００〜２３：５９）とに分け、動作時間帯および非動作時間帯ごとに第１の数値化情報および第２の数値化情報を求める。
【０１２８】
例えば、図１７に示すように、照明機器１１ａ〜１１ｅの動作時間帯（８：００〜１８：００）に、現場操作器１４Ａからの変更要求に応じて、制御装置２０Ａが例えば照明機器１１ａを昼休み時間帯の１２：００〜１３：００まで消灯させるように、変更スケジュール情報ＣＳ１を生成した場合、動作時間帯における第１の数値化情報ν１は「６０」となる。
【０１２９】
グラフ画面作成部５２ａは、動作時間帯における照明機器１１ａの第１の数値化情報ν１に基づいて、図１８に示すような、１２:００〜１３：００までの時間帯のビンが青色で塗りつぶされた表示形態のヒストグラム画面Ｇ２ａを作成し、表示制御部５６によりモニタ６０に表示する。このヒストグラム画面Ｇ２ａは、照明機器１１ａだけを対象とした画面であり、横軸には動作時間帯の８：００〜１８：００が示されている。
【０１３０】
オペレータは、このヒストグラム画面Ｇ２ａにおけるビンの時間帯（１２：００〜１３：００）を確認することにより、スケジュール情報Ｓ１とは異なる照明機器１１ａの動作時間遅れの原因が、昼休み時間帯において省エネルギーの観点からスケジュール情報Ｓ１の変更が行われた変更スケジュール情報ＣＳ１によるものであると理解することができる。
【０１３１】
＜第４の実施の形態＞
第４の実施の形態におけるスケジュール管理システムは、スケジュール情報Ｓ１の変更要求が複数あった場合、複数の変更スケジュール情報ＣＳ１、ＣＳ２を生成し、スケジュール情報Ｓ１と変更スケジュール情報ＣＳ１との間の時間的な差異、変更スケジュール情報ＣＳ１と変更スケジュール情報ＣＳ２との間の時間的な差異、および、変更スケジュール情報ＣＳ２と機器動作時間情報Ｄ１との間の時間的な差異を可視化して表示することにより、照明機器の動作時間遅れの原因をオペレータに特定させることを可能としたシステムである。
【０１３２】
第４の実施の形態においては、第１および第２の実施の形態におけるスケジュール管理システム１００と基本的な構成は同じであるが、制御装置２０Ａの変更スケジュール情報生成部２０ｃにおいて、複数の変更スケジュール情報ＣＳ１、ＣＳ２を生成する点が異なっている。
【０１３３】
図１９に示すように、変更スケジュール情報生成部２０ｃは、開始時刻８：００および終了時刻１８：００のスケジュール情報Ｓ１に対して、１２：００〜１３：００に照明機器１１ａ〜１１ｅを消灯させるように変更した変更スケジュール情報ＣＳ１を生成し、これを第１の中間状態としてスケジュール情報記憶部２０ｂに記憶する。
【０１３４】
また、変更スケジュール情報生成部２０は、変更スケジュール情報ＣＳ１に対して、１４：００〜１５：００に照明機器１１ａ〜１１ｅを消灯させるように更に変更した変更スケジュール情報ＣＳ２を生成し、これを第２の中間状態としてスケジュール情報記憶部２０ｂに記憶する。
【０１３５】
比較画面作成部５２は、スケジュール情報Ｓ１に基づいて開始時刻８：００でＯＦＦからＯＮに立ち上がり、終了時刻１８：００でＯＮからＯＦＦに立ち下がる様子を可視化したスケジュール情報画面ＳＧ１を作成する。
【０１３６】
また、比較画面作成部５２は、変更スケジュール情報ＣＳ１に基づいて、開始時刻８：００でＯＦＦからＯＮに立ち上がり、時刻１２：００でＯＮからＯＦＦに立ち下がり、時刻１３：００でＯＦＦからＯＮに立ち上がり、終了時刻１８：００でＯＮからＯＦＦに立ち下がる様子を可視化した変更スケジュール情報画面ＣＳＧ１を作成する。
【０１３７】
同様に、比較画面作成部５２は、変更スケジュール情報ＣＳ２に基づいて、開始時刻８：００でＯＦＦからＯＮに立ち上がり、時刻１２：００でＯＮからＯＦＦに立ち下がり、時刻１３：００でＯＦＦからＯＮに立ち上がり、時刻１４：００でＯＮからＯＦＦに立ち下がり、時刻１５：００でＯＦＦからＯＮに立ち上がり、終了時刻１８：００でＯＮからＯＦＦに立ち下がる様子を可視化した変更スケジュール情報画面ＣＳＧ２を作成する。
【０１３８】
さらに、比較画面作成部５２は、機器動作時間情報Ｄ１に基づいて、変更スケジュール情報画面ＣＳＧ２と同様の機器動作時間情報画面ＤＧ１を作成する。
【０１３９】
そして、比較画面作成部５２は、スケジュール情報画面ＳＧ１、変更スケジュール情報画面ＣＳＧ１、ＣＳＧ２、および、機器動作時間情報画面ＤＧ１の時間軸を揃えた状態で縦一列に並べた比較画面Ｇ１Ｓを作成する。表示制御部５６は、この比較画面Ｇ１Ｓをモニタ６０に表示する。
【０１４０】
この比較画面Ｇ１Ｓは、変更スケジュール情報画面ＣＳＧ１およびＣＳＧ２により、スケジュール情報Ｓ１と変更スケジュール情報ＣＳ１との間の時間的な差異、および、変更スケジュール情報ＣＳ１と変更スケジュール情報ＣＳ２との間の時間的な差異を可視化した状態で表示している。
【０１４１】
オペレータは、この比較画面Ｇ１Ｓの変更スケジュール情報画面ＣＳＧ１およびＣＳＧ２を確認することにより、スケジュール情報Ｓ１と機器動作時間情報Ｄ１との間には時間的な差異が２ヶ所存在し、その原因が変更スケジュール情報ＣＳ１およびＣＳ２が生成されたことであると直感的に認識することができる。
【０１４２】
なお、数値化計算部５３においては、スケジュール情報Ｓ１と変更スケジュール情報ＣＳ１との第１の差異ｄｆ１を数値化した第１の数値化情報ν１を求め、変更スケジュール情報ＣＳ１と変更スケジュール情報ＣＳ２との第１の差異ｄｆ１´を数値化した第１の数値化情報ν１´を求め、変更スケジュール情報ＣＳ２と機器動作時間情報Ｄ１との第２の差異ｄｆ２を数値化した第２の数値化情報ν２を求める。この場合、第１の数値化情報ν１は「６０」、第１の数値化情報ν１´は「６０」、第２の数値化情報ν２は「０」となる。
【０１４３】
差異可視化画面作成部５４のグラフ画面作成部５４ａは、第１の数値化情報ν１、および、第１の数値化情報ν１´に基づいて、図２０に示すような、第１の中間状態および第２の中間状態を反映したヒストグラム画面Ｇ２Ｓを差異可視化画面として作成する。表示制御部５６は、このヒストグラム画面Ｇ２Ｓをモニタ６０に表示することができる。
【０１４４】
なお、差異可視化画面作成部５４は、第１の数値化情報ν１、および、第１の数値化情報ν１´に基づいて、警報画面作成部５４ｂおよび推移画面作成部５４ｃにより警報画面、推移画面を作成することもできる。
【０１４５】
＜他の実施の形態＞
なお、上述した第１乃至第３の実施の形態においては、制御装置２０Ａに変更スケジュール情報生成部２０ｃおよび機器動作時間情報生成部２０ｅを設けるようにした場合について述べたが、本発明はこれに限らず、中央制御装置５０に変更スケジュール情報生成部２０ｃおよび機器動作時間情報生成部２０ｅを設けるようにしてもよい。
【０１４６】
また、上述した第２の実施の形態においては、差分ｘ（ｔ）の絶対値を全て加算することにより第１の数値化情報ν１および第２の数値化情報ν２を計算するようにした場合について述べたが、本発明はこれに限らず、スケジュール情報Ｓ１、変更スケジュール情報ＣＳ１、および、機器動作時間情報Ｄ１が時系列データであるので、例えば、動的時間伸縮法と呼ばれるＤＴＷ(Dynamic Time Warping)の手法によりその違いを数値化するようにしても良く、その他種々の数値化手法を用いることが可能である。
【０１４７】
さらに、上述した第２の実施の形態においては、ＯＮのときを「１」とし、ＯＦＦのときを「０」として、１分間ごとの周期で算出する差分ｘ（ｔ）の全加算結果を第１および第２の数値化情報ν１、ν２として（式１）により求めるようにした場合について述べた。しかしながら、本発明はこれに限らず、照明機器ではなく空調機器を対象とすると、部屋の設定温度と、実際の室温とのアナログ的な数値の差分ｘ（ｔ）として第１および第２の数値化情報ν１、ν２を求めるようにしてもよい。
【０１４８】
この場合、中央制御装置５０Ｓは、推移画面作成部５４ｃにより第２の数値化情報ν２に基づいて推移画面を作成して表示することにより、オペレータは設定温度と室温との差異が次第に増加している様子について認識し、空調機の制御性が悪化していることを理解することができる。
【０１４９】
さらに、上述した第２の実施の形態においては、第１および第２の数値化情報ν１、ν２に基づいてヒストグラム画面Ｇ２を作成して表示するようにした場合について述べたが、本発明はこれに限らず、第１の数値化情報ν１または第２の数値化情報ν２に基づいて２種類のヒストグラム画面を作成するようにしてもよい。
【０１５０】
中央制御装置５０Ｓは、スケジュール情報Ｓ１にしたがって照明機器１１ａ〜１１ｅが運転動作されているか否かを確認したいエネルギー管理者向けに、第１の数値化情報ν１に基づいて作成したヒストグラム画面だけを作成して表示してもよい。また、中央制御装置５０Ｓは、照明機器１１ａ〜１１ｅが正常に機能しているか否かを確認したい保全員向けに、第２の数値化情報ν２に基づいて作成したヒストグラム画面だけを作成して表示してもよい。
【０１５１】
さらに、上述した第２の実施の形態においては、比較画面Ｇ１に換えて、ヒストグラム画面Ｇ２、警報画面Ｇ３、推移画面Ｇ４を表示するようにした場合について述べたが、本発明はこれに限らず、比較画面Ｇ１と共にヒストグラム画面Ｇ２、警報画面Ｇ３、推移画面Ｇ４を表示する等、その表示形態を任意に設定するようにしてもよい。
【符号の説明】
【０１５２】
１１、１１ａ〜１１ｅ、１２ａ〜１２ｅ……照明機器、１４、１４Ａ、１４Ｂ……現場操作器、２０Ａ、２０Ｂ……制御装置、２０ａ……送受信部２０ａ、２０ｂ……スケジュール情報記憶部、２０ｃ……変更スケジュール情報生成部、２０ｄ……機器制御部、２０ｅ……機器動作時間情報生成部、１３、５０……中央制御装置、５１……スケジュール情報生成部、５２……比較画面作成部、５３……数値化計算部、５４……差異可視化画面作成部、５４ａ……グラフ画面作成部、５４ｂ……警報画面作成部、５４ｃ……推移画面作成部、５５……画面作成部、５６……表示制御部、６０……モニタ、１００……スケジュール管理システム。
【図１】
0006630065.tif 000002
【図２】
0006630065.tif 000003
【図３】
0006630065.tif 000004
【図４】
0006630065.tif 000005
【図５】
0006630065.tif 000006
【図６】
0006630065.tif 000007
【図７】
0006630065.tif 000008
【図８】
0006630065.tif 000009
【図９】
0006630065.tif 000010
【図１０】
0006630065.tif 000011
【図１１】
0006630065.tif 000012
【図１２】
0006630065.tif 000013
【図１３】
0006630065.tif 000014
【図１４】
0006630065.tif 000015
【図１５】
0006630065.tif 000016
【図１６】
0006630065.tif 000017
【図１７】
0006630065.tif 000018
【図１８】
0006630065.tif 000019
【図１９】
0006630065.tif 000020
【図２０】
0006630065.tif 000021
【図２１】
0006630065.tif 000022
【図２２】
0006630065.tif 000023
【図２３】
0006630065.tif 000024
【図２４】
0006630065.tif 000025
【図２５】
0006630065.tif 000026